【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】
パケットベースのインターネットワーキングプロトコルをサポートする通信ネットワークを動作する方法であって、
タリフ情報であって、該通信ネットワークの顧客端末による使用に関して該通信ネットワークのローディングの関数として料金を計算するための計算式をタリフとして生成するのに使用されるものを、該通信ネットワークを介して、該通信ネットワークに接続された多数の顧客端末へ配送する段階と、
顧客端末で、前記タリフを使用して、該通信ネットワークの顧客端末による使用に対する料金を計算する段階とを含む方法。
【請求項２】
該タリフにおいて使用されるパラメータは顧客端末において局所的に測定可能である請求項１に記載の方法。
【請求項３】
該タリフを配送する段階は、ネットワーク使用料金の計算のための計算式と、前記計算式で使用する係数とを別々に通信する段階を含む請求項１又は請求項２に記載の方法。
【請求項４】
該タリフが、マルチキャスティングによって顧客端末へ配送される請求項１ないし請求項３のいずれか１項に記載の方法。
【請求項５】
顧客端末へ改定されたタリフを配送する別の段階を含む請求項１ないし請求項４の何れか1項に記載の方法。
【請求項６】
改定されたタリフを配送する前記段階が、顧客端末へ前に配送された計算式の中で使用する改定された係数を通信する段階を含む請求項５に記載の方法。
【請求項７】
ネットワーク資源のローディングを検出する段階と、ローディングを検出する前記段階の結果に依存して改定されたタリフを判断する段階とを含む請求項５または請求項６に記載の方法。
【請求項８】
ローディングを検出する前記段階と改定されたタリフを判断する前記段階が、ネットワーク管理プラットフォームによって自動的に実行される請求項７に記載の方法。
【請求項９】
ローディングを検出する前記段階と改定されたタリフを判断する前記段階が、顧客端末で自動的に実行される請求項７に記載の方法。
【請求項１０】
第１の所定の通信チャンネルを識別する顧客端末データを通信し、次に顧客端末において前記タリフに関係する通信に対して前記通信チャンネルをモニタする段階を含む請求項１ないし請求項９の何れか1に項記載の方法。
【請求項１１】
少なくとも１の別の通信チャンネルを識別する前記第１の通信チャンネル上で通信する段階を含み、顧客端末が次に該または各別のチャンネルを加えてモニタする請求項１０に記載の方法。
【請求項１２】
新しい通信チャンネルを採り入れる段階と、前記予め識別された通信チャンネルのローディングに依存して顧客端末へ以前に識別された通信チャンネル上で前記新しい通信チャンネルを識別する段階とを含む請求項１１に記載の方法。
【請求項１３】
暗号化されたタリフデータを顧客端末へ通信し、顧客端末で前記タリフデータを暗号化する段階を含む請求項１ないし請求項１２の何れか1項に記載の方法。
【請求項１４】
該タリフデータは顧客端末に位置した保安モジュール内で復号化される請求項１３に記載の方法。
【請求項１５】
複数の異なる通信チャンネル上で異なるタリフデータを通信し、顧客端末において複数の通信チャンネルの1つに対するタリフデータに特定のキーを提供する段階を含む請求項１３または請求項１４に記載の方法。
【請求項１６】
異なるそれぞれの揮発性を有する異なるタリフを多数の顧客端末の異なるそれぞれの１へ通信する段階を含む請求項１ないし請求項１５の何れか１項に記載の方法。
【請求項１７】
多数の顧客の各々に対して、複数の異なるタリフの中から選択された１を用いて、ネットワークに接続されたそれぞれの顧客端末によるネットワーク資源の使用に対する料金を計算する段階と、
ネットワーク資源のローディングを測定する段階と、
ネットワーク資源のローディングに依存して複数の異なるタリフの少なくとも１を変更する段階とを含む請求項１６に記載の通信ネットワークを動作する方法。
【請求項１８】
顧客端末においてタリフデータを用いてネットワークと端末との間で通信されたトラフィックに対する料金を計算し、支払を行う段階と、
顧客端末のユーザとネットワークとの間で通信されたトラフィックの一部のみをサンプリングし、該サンプリングされたトラフィックに関して該ユーザによって行われた支払とタリフにより支払期日の到来した支払とを比較する段階と、
を含む請求項１ないし請求項１７のいずれか１項に記載された方法。
【請求項１９】
ａ）ネットワークユーザとネットワークオペレータとの間の契約を設定し、ユーザ契約データを記憶する段階と、
ｂ）該ネットワーク上のユーザに対する或いはユーザからのトラフィックの一部のみをサンプリングする段階と、
ｃ）サンプリングされたトラフィックと該ユーザによりユーザに対して契約されたトラフィックとを比較する段階と、
ｄ）サンプリングされたパラメータと契約されたパラメータとの間に不一致が検出されたときにユーザ状態を修正する段階と、
を含む請求項１ないし請求項１８のいずれか１項に記載された方法。
【請求項２０】
ネットワークユーザとネットワークオペレータとの間で契約を設定する段階が、ネットワーク使用に対して前払いすることを含む請求項１９記載の方法。
【請求項２１】
契約を設定する段階が、タリフ条件契約ＴＣＡ、を各顧客と関係付けることを含む請求項１９または請求項２０に記載の方法。
【請求項２２】
ユーザ状態を修正する段階がユーザに罰金を科すことを含む請求項１９ないし請求項２１のいずれか１項に記載の方法。
【請求項２３】
段階ａ）においてユーザがネットワークオペレータへでデポジットを送り、このデポジットが、サンプリングされたパラメータと契約されたパラメータとの間の不一致が検出されたときに段階ｄ）においてデビットされる請求項１９に記載の方法。
【請求項２４】
通信ネットワークを介して、該通信ネットワークに接続された多数の顧客端末へタリフを配送する段階と、
顧客端末において該顧客端末によるネットワーク資源の使用を測定する段階と、
前記タリフと共に前記測定する段階の結果使用して、該顧客端末によるネットワークの使用に対する料金を計算する段階と、
を含む請求項１ないし請求項２３のいずれか１項に記載の方法。
【請求項２５】
サービスプロバイダ間で選択する顧客端末において、複数の異なるサービスプロバイダから各顧客端末へ異なるタリフを通信して、選択されたサービスプロバイダを介してネットワークサービスを受け取る段階を含む請求項１ないし請求項２４の何れか1項に記載の方法。
【請求項２６】
異なるそれぞれのサービスに対する異なるタリフを多数の顧客端末へ通信する通信ネットワーク上の複数の異なるサービスを動作し、それぞれのサービスの動作条件に依存するそれぞれのタリフを選択的に変更する段階を含む請求項１ないし請求項２５の何れか1項に記載の方法。
【請求項２７】
パケットベースインターネットワーキングプロトコルをサポートする通信ネットワーク
であって、該通信ネットワークに接続された多数の顧客端末へ該通信ネットワークを介してタリフ情報を配送するためのタリフ配送手段を備え、前記タリフ情報は通信ネットワークの顧客端末による使用に対して、通信ネットワークのローディングの関数として料金を計算するための計算式を、タリフとして生成するのに使用できる、通信ネットワーク。
【請求項２８】
多数の顧客端末を備え、それぞれの顧客端末は、前記タリフを用いて通信ネットワークの顧客端末による使用に対する料金を計算する計算手段を含む、請求項２７に記載された通信ネットワーク。
【請求項２９】
パケットベースインターネットワーキングプロトコルをサポートする通信ネットワークで使用する顧客端末であって、
タリフ情報を受領するよう動作可能なネットワークインタフェースであって、通信ネットワークを介して通信ネットワークのローディングの関数である計算式を、タリフとして生成するために使用できるものと、
前記インターフェイスにおいて受け取られたタリフ情報でプログラムされたメモリと、
ネットワークのローディングを測定するためのメータと、
前記メータおよびメモリに接続され、前記タリフ情報とネットワーク情報の測定されたローディングを使用して、ネットワーク使用料金を計算するように構成されたプロセッサと、を含む顧客端末。